(57)【要約】【課題】ロール紙を支持するための心棒に被せた外筒に芯管無しロール紙の中心細孔を通してロール紙を外筒と共に回転可能に支持することで、ロール紙繰り出しに伴うロール紙回転を阻害しないようにしすること。【解決手段】芯管無しロール紙１をその中心細孔１Ａに通した心棒２で支持するタイプのロール紙ホルダにおける側体３の前部に突設した下向き枢軸３Ａに前記心棒２をその基部２Ａの枢支孔２Ｂで前後方向に回動可能に片持ち枢支して枢軸３Ａに対する抜け止め施こすとともに、この心棒２に対して外筒４を空転可能に被せて心棒２に対する抜け止めを施こし、この外筒４に前記心棒２の自由端２Ｂからロール紙１の中心細孔１Ａを挿通することで、このロール紙１を心棒２に対し外筒４と共に回転するように支持可能となした。【選択図】      図１
2004344394.tif 000002
【特許請求の範囲】
【請求項１】
芯管無しロール紙をその中心細孔に通した心棒で支持するタイプの平面ほぼコ字状のロール紙ホルダにおいて、ホルダ側体の前部における下向き枢軸に前記心棒をその基部の枢支孔で前後方向に回動可能に片持ち枢支して枢軸に対する抜け止めを施こすとともに、この心棒に対して外筒を空転可能に被せて心棒に対する抜け止めを施こした芯管無しロール紙の枢支ホルダ。
【請求項２】
芯管無しロール紙をその中心細孔に通した心棒で支持するタイプの平面ほぼヨ字状の横隣設一体化ロール紙ホルダにおいて、ホルダ側体の前部の下向き枢軸に前記心棒をその基部の枢支孔で前後方向に回動可能に片持ち枢支して枢軸に対する抜け止めを施こすとともに、この心棒に対して外筒を空転可能に被せて心棒に対する抜け止めを施こした芯管無しロール紙の枢支ホルダ。
【請求項３】
芯管無しロール紙１をその中心細孔１Ａに通した心棒２で支持するタイプのロール紙ホルダにおいて、ホルダ側体３の前部における下向き枢軸３Ａに前記心棒２をその基部２Ａの枢支孔２Ｂで前後方向に回動可能に片持ち枢支して前記枢軸３Ａに対する抜け止めを施こし、この心棒２に対して外筒４を空転可能に被せて心棒２の補強を施こすと共に、前記外筒４に心棒２の自由端２Ｂから挿通支持したロール紙１を心棒２に対し外筒４と共に回転可能となした芯管無しロール紙の枢支ホルダ。
【請求項４】
前記心棒２の基部２Ａを枢支筒５の下溝付き挿着筒部５Ａに挿入固定し、この枢支筒５を前記側体３の下向き枢軸３Ａに前後方向に回動可能に片持ち枢支して前記枢軸３Ａに対する抜け止めを施こしてなる請求項１から請求項３までのいずれか一つの請求項に記載の芯管無しロール紙の枢支ホルダ。
【請求項５】
前記心棒２の自由端２Ｃに対向する側体３に心棒自由端２Ｃを不動に係止する心棒ロック部６を設けた請求項１から請求項４までのいずれか一つの請求項に記載の芯管無しロール紙の枢支ホルダ。
【請求項６】
前記心棒２を下向き枢軸３Ａに対し、ロール紙繰り出し力では前後方向に回動しない程度の枢支摩擦を保ち枢支することで、心棒２の妄動を阻止してなる請求項１から請求項４までのいずれか一つの請求項に記載の芯管無しロール紙の枢支ホルダ。
【請求項７】
前記ロール紙１の上部前寄り外周面に前記ホルダ１の後部における左右の枢支部７で起伏可能に枢支した紙切り板８の前辺下部８Ａを弾接し、この前辺下部８Ａを経て前方へ繰り出したロール紙１の繰り出し部を前記紙切り板８の前辺刃先８Ｂでカット可能となした請求項１から請求項５までのいずれか一つの請求項に記載の芯管無しロール紙の枢支ホルダ。
【発明の詳細な説明】
【０００１】
【発明の属する技術分野】
この発明は、芯管無しロール紙またはロール巻きシート状物をその中心細孔に通した心棒で支持するタイプのロール紙枢支ホルダに係り、特にロール紙繰り出しに伴うロール紙中心部分の心棒に対する絡み付きを無くし、ロール紙の繰り出し使用を常に快適に実行できる芯管無しロール紙の枢支ホルダに関する。
【０００２】
【従来の技術】
中心細孔を有するトイレットペーパーなどの芯管無しロール紙の枢支ホルダとしては従来、特開平１０−１２７５２５号公報記載のもののように、横隣設一体化ロール紙ホルダにおけるホルダ側体の前寄り下部に心棒を回動可能に片持ち枢支横設し、この心棒にその自由端から芯管無しロール紙の中心細孔を通してロール紙を空転可能に支持するとともに、このロール紙の上部前寄り外周面に前記ホルダの後部に枢支した紙切り板の前辺下部を弾接し、この前辺下部を経たロール紙の摘み代を前方へ繰り出してこの繰り出し部を前記紙切り板の前辺刃先でカットできるようにした横隣設一体化ロール紙ホルダである。
【０００３】
【発明が解決しようとする課題】
ところが、この従来例における前記心棒は、その軸線を中心に回転しない構造であるから、この非回転心棒に通した前記芯管無しロール紙の中心細孔付近の紙は、その回転時に生じる心棒との強い摩擦や湿気による吸着力または静電気吸着力により、ロール紙の繰り出し回転に伴って心棒にきつく絡み付き易く、肝心のロール紙の繰り出し回転を大きく阻害し、繰り出し途中のロール紙が千切れて使い物にならなくなる物も出てくるという本質的かつ、大きな問題点が有る。
【０００４】
この発明は、前記従来例における問題点を除去するために、ロール紙繰り出しに伴うロール紙中心部分の心棒に対する絡み付きを無くすことで、ロール紙の繰り出し使用を常に快適に実行できるようにすることを目的とする。
【０００５】
【課題を解決するための手段】
上記した本発明の目的は、ロール紙をその中心細孔に通した心棒で支持するタイプのロール紙ホルダにおける側体の前部に突設した下向き枢軸に前記心棒をその基部の枢支孔で前後方向に回動可能に片持ち枢支して枢軸に対する抜け止めを施こすことで、前記外筒に心棒自由端から挿通支持したロール紙を心棒に対し外筒と共に回転可能となしたことで達成できた。
【０００６】
【発明の実施の形態】
本発明の実施の形態のうち、先ず本発明の基本的な形態例を説明する。
本発明の基本的な形態は、図１のように芯管無しのロール紙１をその中心細孔１Ａに通した心棒２で支持するタイプのロール紙ホルダＨを構成するに当たり、このホルダＨを図２のように例えば平面ほぼコ字状にプラスチック成形し、その左右の側体３のうち例えば右側の側体３の前寄り下部に突設した下向き枢軸３Ａに強化プラスチックなどで作った心棒２をその基部２Ａの枢支孔２Ｂで図１のように前後方向に回動可能に片持ち枢支して座板Ｐなどで心棒２に対する抜け止めを施こすとともに、この心棒２に対してプラスチックで作った外筒４を図３のように空転可能に被せて心棒２からの抜け止めを施こし、この外筒４に前記心棒２の自由端２Ｃから芯管無しロール紙１の中心細孔１Ａを図１のように挿通することで、このロール紙１を心棒２に対し外筒４と共に回転可能に支持できる同図１のような本発明による芯管無しロール紙の枢支ホルダの基本形態を構成する。
【０００７】
なお、外筒４の心棒基部２Ａ方向への抜け止めは、図３のように心棒２の基部２Ａに一体突設した抜け止め突環２Ｄで施こせるとともに、心棒２の自由端２Ｃ方向への外筒４の抜け止めは、上記自由端２Ｃ付近のリング溝２Ｅに弾力係合させた割溝付きの抜け止めリング２Ｆなどで図３のように施こせる。
また、側体３に心棒２をその基部２Ａで片持ち枢支横設するには、前記の直接枢支手段のほかに、心棒２の基部２Ａを図３のように枢支筒５の下溝付き挿着筒部５Ａに無理嵌め固定し、この枢支筒５を心棒２や外筒４と共に前記側体３の下向き枢軸３Ａに図４のように前後方向に回動可能に片持ち枢支横設できる。
なお、この場合には、心棒２の基部２Ａに抜け止め突環２Ｄを突設しないで、上記枢支筒５の外面に外筒４を付き当てることで、外筒４の心棒基部２Ａ方向への抜け止めを施こせると共に心棒２を補強できる。
【０００８】
心棒２に対し外筒４と共に回転可能に図１のように支持したロール紙１の上部前寄り外周面に前記ホルダ１の後部における左右の枢支部７で同図のように起伏可能に枢支した紙切り板８の前辺下部８Ａを弾接し、この前辺下部８Ａを経たロール紙１をその摘み代から前方へ繰り出してこの繰り出し部を前記紙切り板８の前辺刃先８Ｂでカット可能なロール紙枢支ホルダＨも構成できる。
【０００９】
本発明は以上のような構成のもので、これを使用するには前記心棒２の外周面に対して図３のように滑り空転可能に被せた外筒４に心棒自由端２Ｃから図４のように芯管無しロール紙１の中心細孔１Ａを通した後、心棒２を前記枢軸６を支点として図１のように横向きに回動定位することで、ロール紙１をロール紙枢支ホルダＨに対し外筒４と共に回転可能に支持できる。
そして、このロール紙１の上部前寄り外周面に前記紙切り板８の前辺下部８Ａを図１のように弾接させ、この紙切り板前辺下部８Ａを経てロール紙１を前方へ繰り出すに当たり、この芯管無しロール紙１の中心細孔１Ａ付近の紙が外筒４にきつく密着していても、このロール紙１は、前記のように外筒４と共に心棒２を中心として円滑に回転させ得るから、ロール紙繰り出し部を千切らずに常に快適に繰り出して前記紙切り板８の前辺刃先８Ｂで軽快にカットして使用できる。
ロール紙１の全部を繰り出し使い終えたら、心棒２を図４のように手前に回動させ、空になった外筒４に新しいロール紙１の中心細孔１Ａを挿入することで、この新しいロール紙１を外筒４と共に図１のように空転可能に支持できる。
【００１０】
【実施例】
前記ロール紙１を外筒４に通して支持した心棒２の自由端２Ｃをロール紙使用位置に不動にロックするには、図１のような横向きの心棒２の自由端２Ｃに対向している側体３に形成した図５のようにほぼコ字状の切り溝６Ａ内の凹所や孔または側体自体の凹所または孔などの心棒ロック部６に心棒自由端２Ｃを側体固有の弾性または、上記切り溝６Ａ内の側体部分の弾性に抗し、同図５および図１のようにパチンと凹凸係合させることで、通常のロール紙繰り出し力では同図１のような使用中の心棒２やロール紙１が妄りに動かないようにロックすることもでき、また、手指などのやや強い加力で心棒自由端２Ｃを上記心棒ロック部６から上記弾性に抗して外すことで、心棒２を前記下向き枢軸３Ａを支点として図５および図４のように前向きにフリー回動するようにもできる。
【００１１】
さらに、前記心棒２を下向き枢軸３Ａに対し、ロール紙繰り出し力では前後回動しない程度の枢支摩擦を保ち枢支することで、心棒２の妄動を阻止できる。
すなわち、心棒２をその枢支孔２Ｂや枢支筒５の下部にゴムリングや弾撥ばねリングなどの摩擦リングを介在させて枢軸３Ａに枢支し、抜け止めを施こすことで、心棒２を手指などのやや強い加力では回動できるように、適度の枢支摩擦を保ち前記枢軸３Ａに枢支できると共に、通常のロール紙繰り出し力では図１のような使用中の横向き心棒２が妄りに動かないように枢支でき、また、上記枢支摩擦に抗したやや強い加力で心棒２を図４のように前向きに回動したとき、この回動位置で心棒２が妄動しないようにして前記外筒４にロール紙中心細孔１Ａを通し易くすることもできるが、この場合には前記心棒ロック部６は不要となる。
【００１２】
【発明の効果】
本発明における請求項１から請求項３までの各発明によれば、芯管無しロール紙１をその中心細孔１Ａに通した心棒２で支持するタイプのロール紙ホルダＨにおける側体３の前部に突設した下向き枢軸３Ａに前記心棒２をその基部２Ａの枢支孔２Ｂで前後方向に回動可能に片持ち枢支して枢軸３Ａに対する抜け止め施こし、この心棒２に対して外筒４を空転可能に被せて心棒２に対する抜け止めを施こすと共に、この外筒４に前記心棒２の自由端２Ｂからロール紙１の中心細孔１Ａを挿通することで、このロール紙１を心棒２に対し外筒４と共に回転させ得るように支持できたので、ロール紙繰り出しに伴うロール紙中心部分の心棒に対する絡み付きが無くなり、ロール紙１を常に快適に繰り出し使用できる共に、上記外筒４で心棒２を補強できるから、その切損も防止でき、快適に使用できる芯管無しロール紙の枢支ホルダを安価に多量製造できたという優れた効果が有る。
【００１３】
本発明における請求項４の発明によれば、前記した諸効果に加えて、前記心棒２の基部２Ａを枢支筒５の下溝付き挿着筒部５Ａに挿入固定し、この枢支筒５を心棒２や外筒４と共に前記側体３の下向き枢軸３Ａに回動可能に片持ち枢支横設したので、心棒２に過大な外力が加わっても、この心棒２は上記挿着筒部５Ａからその挿着保持弾力に抗して外れるので、安全かつ、心棒自体が折損せず再利用できるという効果を付加でき、また本発明における請求項５の発明では前記諸効果のほかに、心棒自由端２Ｃに対向する側体３に心棒ロック部６を設けたので、ロール紙１の繰り出し使用時における心棒２とロール紙１の妄動を阻止でき、一層安定にロール紙１を繰り出し使用できるという効果を付加できた。
【００１４】
本発明における請求項６の発明によれば、前記した諸効果のほかに、前記心棒２を下向き枢軸３Ａに対し、ロール紙繰り出し力では前後方向に回動しない程度の枢支摩擦を保ち枢支することで心棒２の妄動を阻止したので、ロール紙１の繰り出し使用時における心棒２と前方向回動した心棒２との妄動を阻止でき、一層安定にロール紙１の繰り出し使用と外筒４に対するロール紙１の補充とをより一層簡単かつ、安定に実行できるという効果を付加でき、また本発明における請求項７の発明によれば、前記した諸効果に加えて、前記ロール紙１の上部前寄り外周面に前記ホルダ１の後部における左右の枢支部７で起伏可能に枢支した紙切り板８の前辺下部８Ａを弾接したので、この前辺下部８Ａを経たロール紙１をその摘み代から前方へ繰り出してこの繰り出し部を前記紙切り板８の前辺刃先８Ｂでカットして使用できるという効果を付加できた。
【図面の簡単な説明】
【図１】本発明の実施形態の一例を示す斜視図
【図２】本発明によるロール紙枢支ホルダの分解斜視図
【図３】本発明における要部拡大断面図と斜視図
【図４】図１と状態を異にしたロール紙枢支ホルダの斜視図
【図５】本発明における心棒ロック部の一例を示す説明図
【符号の説明】
Ｈ      ロール紙枢支ホルダ
１      芯管無しロール紙
１Ａ    芯管無しロール紙の中心細孔
２      心棒
２Ａ    心棒基部
２Ｂ    心棒基部の枢支孔
２Ｃ    心棒自由端
３      ロール紙枢支ホルダの側体
３Ａ    ホルダ側体の下向き枢軸
４      外筒
５      枢支筒
５Ａ    心棒挿着筒部
６      心棒ロック部
７      紙切り板の枢支部
８      紙切り板
８Ａ    紙切り板の前辺下部
８Ｂ    紙切り板の前辺刃先
【図１】
2004344394.tif 000003
【図２】
2004344394.tif 000004
【図３】
2004344394.tif 000005
【図４】
2004344394.tif 000006
【図５】
2004344394.tif 000007